(57)【要約】【課題】操作画面の表示が完了するまで待たされるユーザの煩わしさを低減すること。【解決手段】制御部は、表示部（１３）に操作画面（３１）を表示する表示処理と、表示処理による操作画面（３１）の表示を待たずに操作部（１２）による操作の受け付けを開始し、当該操作画面（３１）と操作部（１２）によって受け付けられた操作とに対応する指示を受け付ける受付処理と、受付処理で受け付けられた指示に応じて画像処理部を制御する制御処理と、を実行する、画像処理装置。【選択図】図２
2013179530.tif 000002
【特許請求の範囲】
【請求項１】
画像処理を実行する画像処理部と、
操作画面を表示する表示部と、
ユーザから操作を受け付ける操作部と、
前記画像処理部、前記表示部、及び、前記操作部を制御する制御部と、
を備え、
前記制御部は、
前記表示部に前記操作画面を表示する表示処理と、
前記表示処理による前記操作画面の表示を待たずに前記操作部による操作の受け付けを開始し、当該操作画面と前記操作部によって受け付けられた操作とに対応する指示を受け付ける受付処理と、
前記受付処理で受け付けられた前記指示に応じて前記画像処理部を制御する制御処理と、
を実行する、画像処理装置。
【請求項２】
請求項１に記載の画像処理装置であって、
前記操作画面には、前記画像処理の実行条件を設定する前記指示を受け付ける設定画面と、前記画像処理部に前記画像処理を実行させる前記指示を受け付ける実行画面とがあり、
前記制御部は、前記受付処理において、前記操作画面が前記実行画面である場合は、前記実行画面の表示が完了する前については前記指示を受け付けず、当該実行画面が表示された後に前記指示を受け付ける、画像処理装置。
【請求項３】
請求項２に記載の画像処理装置であって、
前記制御部は、前記表示処理において、前記設定画面で設定された前記実行条件を前記実行画面に表示する、画像処理装置。
【請求項４】
請求項１乃至請求項３のいずれか一項に記載の画像処理装置であって、
前記操作画面の中には、画面の内容をユーザに確認させる操作画面があり、
前記制御部は、前記受付処理において、前記操作画面が画面の内容をユーザに確認させる操作画面である場合は、当該操作画面の表示が完了する前については前記指示を受け付けず、当該操作画面が表示された後に前記指示を受け付ける、画像処理装置。
【請求項５】
請求項１乃至請求項４のいずれか一項に記載の画像処理装置であって、
前記操作画面には、前記画像処理の実行条件を設定する前記指示を受け付ける設定画面があり、
当該画像処理装置には設定すべき実行条件の組み合わせであってそれらの実行条件を設定するために複数の前記設定画面が用いられる実行条件の組み合わせが予め登録されており、
前記制御部は、前記受付処理において前記実行条件の組み合わせを一括して設定する一括設定指示を前記指示として受け付けた場合は、前記表示処理において、前記複数の設定画面のうちいずれか一の設定画面を表示し、前記受付処理において、前記一の設定画面の表示が完了する前については前記指示を受け付けず、前記一の設定画面が表示された後に前記指示を受け付ける、画像処理装置。
【請求項６】
請求項１乃至請求項５のいずれか一項に記載の画像処理装置であって、
前記制御部は、
前記受付処理において、前記操作画面と前記操作部によって受け付けられた操作とに対応する操作画面を表示する指示を受け付け、
前記表示処理において、前記受付処理によって前記操作画面を表示する指示が受け付けられたときからの経過時間を計測し、前記経過時間が所定時間に達する前は前記操作画面の表示を開始せず、前記経過時間が所定時間に達すると前記操作画面の表示を開始する、画像処理装置。
【請求項７】
請求項１乃至請求項６のいずれか一項に記載の画像処理装置であって、
前記操作部は、
複数の操作キーと、
操作が受け付けられる前記操作キーをユーザに案内する案内部と、
を有する、画像処理装置。
【発明の詳細な説明】
【技術分野】
【０００１】
操作画面を表示して指示を受け付ける技術に関する。
【背景技術】
【０００２】
従来、表示部とテンキーやスタートキーなどの操作キーとを備える画像処理装置が知られている。このような画像処理装置では、ユーザは表示部を参照しながらキーを押下することにより、目的の機能や条件を適宜設定することができる（例えば、特許文献１参照）。
【先行技術文献】
【特許文献】
【０００３】
【特許文献１】特開２００１−２４６８１９号公報
【発明の概要】
【発明が解決しようとする課題】
【０００４】
ところで、ユーザは画像処理装置を繰り返し使用しているうちに、目的の機能や条件を設定するためには操作画面毎にどのキーを押下すればよいかを徐々に把握できる。
このように操作画面毎にどのキーを押下すればよいかを把握できているユーザにとっては、操作画面の表示が完了するのを待つ時間が煩わしいと感じられるという問題がある。
【０００５】
本明細書では、操作画面の表示が完了するまで待たされるユーザの煩わしさを低減する技術を開示する。
【課題を解決するための手段】
【０００６】
本明細書によって開示される画像処理装置は、画像処理を実行する画像処理部と、操作画面を表示する表示部と、ユーザから操作を受け付ける操作部と、前記画像処理部、前記表示部、及び、前記操作部を制御する制御部と、を備え、前記制御部は、前記表示部に前記操作画面を表示する表示処理と、前記表示処理による前記操作画面の表示を待たずに前記操作部による操作の受け付けを開始し、当該操作画面と前記操作部によって受け付けられた操作とに対応する指示を受け付ける受付処理と、前記受付処理で受け付けられた前記指示に応じて前記画像処理部を制御する制御処理と、を実行する。
上記画像処理装置によると、表示処理による操作画面の表示を待たずにその操作画面と操作部で受け付けられた操作とに対応する指示が受け付けられるので、操作画面の表示が完了するまで待たされるユーザの煩わしさを低減できる。
【０００７】
また、前記操作画面には、前記画像処理の実行条件を設定する前記指示を受け付ける設定画面と、前記画像処理部に前記画像処理を実行させる前記指示を受け付ける実行画面とがあり、前記制御部は、前記受付処理において、前記操作画面が前記実行画面である場合は、前記実行画面の表示が完了する前については前記指示を受け付けず、当該実行画面が表示された後に前記指示を受け付けてもよい。
上記画像処理装置によると、操作画面が実行画面である場合は表示が完了する前については指示を受け付けないので、画像処理を実行させる指示が受け付けられる操作画面であることをユーザにより確実に認識させることができる。
【０００８】
また、前記制御部は、前記表示処理において、前記設定画面で設定された前記実行条件を前記実行画面に表示してもよい。
上記画像処理装置によると、設定画面で設定された実行条件を、画像処理を実行させる指示を受け付ける前にユーザに確認させることができる。
【０００９】
また、前記操作画面の中には、画面の内容をユーザに確認させる操作画面があり、前記制御部は、前記受付処理において、前記操作画面が画面の内容をユーザに確認させる操作画面である場合は、当該操作画面の表示が完了する前については前記指示を受け付けず、当該操作画面が表示された後に前記指示を受け付けてもよい。
上記画像処理装置によると、操作画面が画面の内容をユーザに確認させるものである場合は当該操作画面の表示が完了する前については指示を受け付けないので、画面の内容をより確実にユーザに確認させることができる。
【００１０】
また、前記操作画面には、前記画像処理の実行条件を設定する前記指示を受け付ける設定画面があり、当該画像処理装置には設定すべき実行条件の組み合わせであってそれらの実行条件を設定するために複数の前記設定画面が用いられる実行条件の組み合わせが予め登録されており、前記制御部は、前記受付処理において前記実行条件の組み合わせを一括して設定する一括設定指示を前記指示として受け付けた場合は、前記表示処理において、前記複数の設定画面のうちいずれか一の設定画面を表示し、前記受付処理において、前記一の設定画面の表示が完了する前については前記指示を受け付けず、前記一の設定画面が表示された後に前記指示を受け付けてもよい。
複数の実行条件が一括して設定された場合、ユーザはどの操作画面に対して操作を行っているか分からなくなることがある。上記画像処理装置によると、前記一の設定画面の表示がされる前は操作を受け付けないことにより、どの操作画面に対して操作を行っているかをユーザに確認させることができる。
【００１１】
また、前記制御部は、前記受付処理において、前記操作画面と前記操作部によって受け付けられた操作とに対応する操作画面を表示する指示を受け付け、前記表示処理において、前記受付処理によって前記操作画面を表示する指示が受け付けられたときからの経過時間を計測し、前記経過時間が所定時間に達する前は前記操作画面の表示を開始せず、前記経過時間が所定時間に達すると前記操作画面の表示を開始してもよい。
操作画面の表示が完了する前にユーザから指示を受け付けた場合は、当該操作画面の表示は不要となる。
上記画像処理装置によると、操作画面を表示する指示が受け付けられたときからの経過時間が所定時間に達する前は操作画面の表示を開始しないので、不必要に操作画面を表示することを低減できる。一方、経過時間が所定時間に達する前に指示が受け付けられなかった場合は、ユーザは受け付けられる操作を把握していないと考えられる。その場合は操作画面を表示することにより、ユーザが目的の操作を行うことができる。
【００１２】
また、前記操作部は、複数の操作キーと、操作が受け付けられる前記操作キーをユーザに案内する案内部と、を有してもよい。
上記画像処理装置によると、操作画面で指示が受け付けられる操作キーをユーザに案内するので、ユーザの利便性が向上する。
【００１３】
なお、本明細書によって開示される技術は、画像処理方法、画像処理プログラム、画像処理プログラムを記録した記録媒体等の種々の態様で実現することができる。
【図面の簡単な説明】
【００１４】
【図１】実施形態１に係る複合機の電気的構成を示すブロック図。
【図２】操作部を示す模式図。
【図３】コピー画面のトレイ画面を示す模式図。
【図４】コピー画面のカラー画面を示す模式図。
【図５】コピー画面の倍率画面を示す模式図。
【図６】コピー画面の部数画面を示す模式図。
【図７】画面遷移表を示す模式図。
【図８】操作画面の表示が完了する前に操作を受け付ける例外を示す模式図。
【図９】操作制御プログラムのブロック図。
【図１０】メイン制御モジュールの処理の流れを示すフローチャート。
【図１１】操作部制御モジュールの処理の流れを示すフローチャート。
【図１２】画面表示制御モジュールの処理の流れを示すフローチャート。
【発明を実施するための形態】
【００１５】
＜実施形態１＞
実施形態１を図１ないし図１２によって説明する。
（１）複合機の構成
実施形態１では画像処理装置として、コピー機能、ファクシミリ送受信機能、及び、スキャン機能を備える所謂複合機を例に説明する。以降の説明ではファクシミリをＦＡＸと略す。
【００１６】
図１は、実施形態１に係る複合機１の電気的構成を簡略化して示すブロック図である。複合機１は、制御部１０、記憶部１１、操作部１２、表示部１３、画像読取部１４、ＦＡＸ部１５、印刷部１６、通信インタフェース部１７などを備えて構成されている。
【００１７】
制御部１０は、ＣＰＵ１０ａ、ＲＯＭ１０ｂ、ＲＡＭ１０ｃを備えている。ＣＰＵ１０ａはＲＯＭ１０ｂや記憶部１１に記憶されているプログラムを実行することによって複合機１の各部を制御する。また、ＣＰＵ１０ａは所定のプログラムを実行することによってソフトウェアクロックとしても機能する。ＲＯＭ１０ｂにはＣＰＵ１０ａによって実行されるプログラムやデータなどが記憶されている。ＲＡＭ１０ｃはＣＰＵ１０ａが各種の処理を実行するための主記憶装置として用いられる。
【００１８】
記憶部１１は、ハードディスクやフラッシュメモリなどの不揮発性のメモリを用いて各種のプログラムやデータを記憶する装置である。記憶部１１には後述する操作制御プログラム５０（図９参照）が記憶されている。操作制御プログラム５０は操作画面を表示して指示を受け付ける処理を実行するためのプログラムである。なお、操作制御プログラム５０はＲＯＭ１０ｂに記憶されてもよい。
【００１９】
操作部１２は、複数の操作キー１８（図２参照）と、ＬＥＤなどの発光素子からなる案内部１２ｂとを備えており、ユーザから各種の操作を受け付ける。操作部１２の詳細については後述する。
表示部１３は、液晶ディスプレイなどの表示装置１３ａ（図２参照）、表示装置１３ａを駆動するディスプレイ駆動回路、表示装置１３ａの表示面を覆う略透明なタッチパネル１３ｂ（図２参照）などを備えて構成されており、後述する操作画面を表示する。
【００２０】
画像読取部１４は、原稿が載置される載置台、載置台に載置されている原稿を１枚ずつ搬送する搬送部、搬送部によって搬送されている原稿を読み取るイメージセンサなどを備えており、原稿を読み取って画像データを生成する。
ＦＡＸ部１５は、電話回線を介して外部のＦＡＸ装置２との間で画像データの送受信を行う。
【００２１】
印刷部１６は、印刷用紙などのシートが収容される複数のシートトレイ、シートトレイに収容されているシートを１枚ずつ搬送する搬送部、搬送部によって搬送されているシートに画像データが表す画像を電子写真方式やインクジェット方式によって形成する画像形成部などを備えて構成されている。また、印刷部１６はカラー印刷、モノクロ印刷、白黒印刷を実行可能に構成されている。
【００２２】
通信インタフェース部１７はパーソナルコンピュータ（ＰＣと記す）３などの外部の装置と通信するためのインタフェースである。通信インタフェース部１７はＬＡＮ（Ｌｏｃａｌ  Ａｒｅａ  Ｎｅｔｗｏｒｋ）などの通信ネットワークを介して外部の装置と通信するものであってもよいし、ＵＳＢ（Ｕｎｉｖｅｒｓａｌ  Ｓｅｒｉａｌ  Ｂｕｓ）ケーブルを介して外部の装置と通信するものであってもよい。
【００２３】
前述したコピー機能は、画像読取部１４によって原稿を読み取って画像データを生成し、生成した画像データが表す画像を印刷部１６によってシートに印刷する機能である。
ＦＡＸ送受信機能は、画像読取部１４によって原稿を読み取って画像データを生成し、生成した画像データを外部のＦＡＸ装置２に電話回線を介してＦＡＸ送信する機能、及び、外部のＦＡＸ装置２から電話回線を介してＦＡＸ受信した画像データが表す画像を印刷部１６によってシートに印刷する機能である。
【００２４】
スキャン機能は、画像読取部１４によって原稿を読み取って画像データを生成し、生成した画像データを、通信インタフェース部１７を介してＰＣ３に送信する機能である。なお、スキャン機能は、画像読取部１４によって原稿を読み取って生成した画像データを複合機１に装着されているリムーバブルメモリに書き込む機能であってもよい。
【００２５】
上述した画像読取部１４、ＦＡＸ部１５、及び、印刷部１６はそれぞれ画像処理部の一例である。また、コピー、ＦＡＸ送受信、及び、スキャンはそれぞれ画像処理の一例である。
【００２６】
（２）操作部の詳細
図２は、操作部１２を示す模式図である。操作部１２は表示部１３と一体に設けられている。また、操作部１２には１番から１０番、＊、及び、＃からなるテンキー１８ａ、複数の実行条件を一括して設定するための複数のショートカットキー１８ｂ、各機能の実行を指示するためのスタートキー１８ｃなどの操作キー１８が設けられている。これらの操作キー１８は静電容量式のタッチセンサとして構成されている。
【００２７】
また各操作キー１８は光を透過する半透明の部材あるいは開口が形成されている部材を用いて構成されている。そして、各操作キー１８の背後にはそれぞれＬＥＤなどの図示しない発光素子が配置されている。発光素子は操作が受け付けられる操作キー１８をユーザに案内するためのものである。発光素子によって操作キー１８が点灯することにより、ユーザは操作が受け付けられる操作キー１８を把握することができる。発光素子は案内部１２ｂの一例である。
【００２８】
（３）操作画面
次に、表示部１３によって表示される操作画面について説明する。ここでは操作画面として図２に示す待機画面３１、及び、図３〜図６に示すコピー画面４０、及び、図示しないエラー表示画面を例に説明する。
図２に示す待機画面３１は、複合機１に実行させる機能をユーザが選択するための画面である。例えば表示部１３の前面に配置されているタッチパネル１３ｂでユーザがコピーアイコン３１ａ上の領域にタッチするとコピー機能が選択される。コピー機能を選択すると図３〜図６に示すコピー画面４０が表示される。
【００２９】
図３〜図６はコピー画面４０を示す模式図である。コピー画面４０はシートトレイ、カラー、倍率、及び、部数の実行条件を設定するための画面である。コピー画面４０は図３に示すトレイ画面４１、図４に示すカラー画面４２、図５に示す倍率画面４３、及び、図６に示す部数画面４４の４つの画面で構成されている。これら４つの画面はタブによって選択的に表示される。これら４つの画面はそれぞれが一つの操作画面に相当する。
【００３０】
図３に示すトレイ画面４１は、シートトレイを設定するための操作画面である。シートトレイには、自動、トレイ１、トレイ２のうちいずれか一つの実行条件を設定することができる。各実行条件の前に表示されている数字はトレイを設定する指示を行うためのテンキー１８ａの番号を示している。例えばユーザがテンキー１８ａの１番にタッチすると、トレイの実行条件として自動を設定するという指示が受け付けられる。トレイの実行条件として自動を設定するという指示は、トレイ画面４１とテンキー１８ａの１番とに対応する指示である。
【００３１】
図４に示すカラー画面４２は、カラーを設定するための操作画面である。カラーには、カラー印刷、モノクロ印刷、白黒印刷のうちいずれか一つの実行条件を設定することができる。各実行条件の前に表示されている数字は、その実行条件を設定するためのテンキー１８ａを示している。
【００３２】
図５に示す倍率画面４３は、シートに画像を形成するときの倍率、言い換えると拡大／縮小率を設定するための操作画面である。倍率には、１００％、１５０％、５０％のうちいずれか一つの実行条件を設定することができる。各実行条件の前に表示されている数字は、その実行条件を設定するためのテンキー１８ａを示している。
【００３３】
図６に示す部数画面４４は、コピーする部数を設定するための操作画面である。ユーザはテンキー１８ａにタッチすることにより、任意の数を部数の実行条件として設定できる。図示するように部数画面４４にはトレイ画面４１、カラー画面４２、倍率画面４３、及び、部数画面４４で設定された実行条件が表示される。なお、まだユーザが実行条件を設定する操作を行っていない操作画面の実行条件についてはデフォルトの実行条件が表示されるものとする。
【００３４】
また、操作画面には、上述した待機画面３１やコピー画面４０の他に、図示しないエラー表示画面もある。エラー表示画面は複合機１になんらかのエラーが発生した場合にそのエラーを表示部１３に表示してユーザにエラーの内容を確認させるための画面である。
【００３５】
上述したトレイ画面４１、カラー画面４２、及び、倍率画面４３は設定画面の一例である。また、部数画面４４は設定画面及び実行画面の一例である。また、エラー表示画面は画面の内容をユーザに確認させる操作画面の一例である。
【００３６】
（４）ショートカットキーによる実行条件の一括設定
ユーザは待機画面３１でショートカットキー１８ｂにタッチすることにより、記憶部１１に予め登録されている実行条件をトレイ、カラー、倍率、及び、部数の実行条件として一括して設定することができる。予め登録されている実行条件は、具体的には例えば次のようなものである。
【００３７】
トレイ＝１（自動）
カラー＝２（モノクロ）
倍率＝１（１００％）
部数＝１（１部）
【００３８】
実施形態１ではこれらの実行条件を一括設定情報という。一括設定情報は設定すべき実行条件の組み合わせであってそれらの実行条件を設定するために複数の設定画面が用いられる実行条件の組み合わせの一例である。
【００３９】
また、一括設定情報には次の情報が関連付けられる。
ショートカットキー番号＝１（１番目）
遷移先の操作画面＝部数設定画面
受け付ける指示＝実行条件を設定する
【００４０】
ショートカットキー番号はその一括設定情報に割り当てられているショートカットキー１８ｂの番号である。遷移先の操作画面は、その一括設定情報を設定した場合に遷移する先の操作画面を示している。受け付ける指示は一括設定情報に応じた指示であり、図示する例の場合は当該一括設定情報に含まれている実行条件を設定するという指示である。受け付ける指示は、実行条件の組み合わせを一括して設定する一括設定指示の一例である。
上述した例の場合、待機画面３１でユーザが１番目のショートカットキー１８ｂにタッチすると、トレイ、カラー、倍率、及び、部数にそれぞれ上述した実行条件が設定されるとともに、部数画面４４に遷移する。
【００４１】
一括設定情報は任意に設定することができる。例えば遷移先の操作画面は部数画面４４以外の操作画面であってもよい。また、一括設定情報は複数登録することができる。一括設定情報を複数登録する場合は各一括設定情報に互いに異なるショートカットキー番号を割り当てるものとする。
【００４２】
（５）画面遷移表
図７は、各操作画面で発生するイベントと、そのイベントが発生したときに遷移する先の操作画面、及び、そのイベントが発生したときに受け付けられる指示との対応関係を示す画面遷移表を示す模式図である。
図中においてコピーアイコンイベントはユーザが待機画面３１のコピーアイコン３１ａにタッチすると発生するイベントである。なお、待機画面３１ではＦＡＸアイコン３１ｂやスキャンアイコン３１ｃにタッチすることもできるがここでは省略している。
【００４３】
コピー画面のタブイベントはユーザがコピー画面４０のタブにタッチすると発生するイベントである。コピー画面４０のタブとは、具体的にはトレイ画面４１のタブ、カラー画面４２のタブ、倍率画面４３のタブ、及び、部数画面４４のタブのことをいう。
テンキーイベントはユーザが操作部１２のテンキー１８ａにタッチすると発生するイベントである。ショートカットキー、スタートキーについても同様である。
【００４４】
エラー発生イベントは複合機１でなんらかの異常が発生したことを制御部１０が検知することによって発生するイベントである。なんらかの異常とは、例えば複合機１に設けられている保守用の開閉カバーが空いたままになっている、シートのジャムが発生している、トレイにシートがセットされていない、トナーやインクなどの着色剤が基準量未満であるなどである。なお、検出されるエラーはこれらに限られるものではない。
【００４５】
図中において「遷移先」はそのイベントが発生したときに遷移する先の操作画面を示している。また、「受け付ける指示」は操作画面とイベントとに対応する指示を示している。
以下、各操作画面とイベントとの関係について説明する。
【００４６】
（５−１）待機画面
待機画面３１にはイベントとしてコピーアイコンイベント、ショートカットキーイベント、及び、エラー発生イベントが対応付けられている。
コピーアイコンイベントには遷移先としてトレイ画面４１が対応付けられているが、「受け付ける指示」は対応付けられていない。この場合はユーザがコピーアイコン３１ａにタッチするとトレイ画面４１への遷移のみが行われる。
【００４７】
ショートカットキーイベントには遷移先として一括設定情報に応じた遷移先が対応付けられており、且つ、「受け付ける指示」として一括設定情報に応じた指示が対応付けられている。この場合は、ユーザがショートカットキー１８ｂにタッチするとそのショートカットキー１８ｂに対応付けられて記憶部１１に登録されている一括設定情報に設定されている遷移先の操作画面に遷移するとともに、一括設定情報に設定されている「受け付ける指示」が受け付けられる。
【００４８】
エラー発生イベントには遷移先としてエラー表示画面（図中では「エラー表示」）が対応付けられているが、「受け付ける指示」は対応付けられていない。この場合はエラーが発生するとエラー表示画面への遷移のみが行われる。
【００４９】
（５−２）コピー画面
トレイ画面４１にはイベントとしてコピー画面のタブイベント、テンキーイベント、及び、エラー発生イベントが対応付けられている。コピー画面のタブイベントには遷移先としてタブに応じた操作画面が対応付けられているが、「受け付ける指示」は対応付けられていない。この場合はユーザがコピー画面４０のタブにタッチするとタッチしたタブに対応する操作画面への遷移のみが行われる。
【００５０】
テンキーイベントには遷移先の操作画面と、操作されたテンキー１８ａに応じた実行条件を設定する指示とが対応付けられている。この場合はユーザがテンキー１８ａにタッチすると対応付けられている操作画面に遷移するとともに、テンキー１８ａに応じた実行条件を設定する指示が受け付けられる。
カラー画面４２、倍率画面４３、及び、部数画面４４についても同様である。
【００５１】
また、部数画面４４には上述したイベントに加えて更にスタートキーイベントも対応付けられている。スタートキーイベントには遷移先として待機画面３１が対応付けられており、且つ、「受け付ける指示」としてコピー実行が対応付けられている。この場合はユーザがスタートキー１８ｃにタッチすると待機画面３１に遷移するとともに、コピーを実行する指示が受け付けられる。
【００５２】
（５−３）エラー表示画面
エラー表示画面にはイベントとしてスタートキーイベントが対応付けられている。スタートキーイベントには遷移先として待機画面３１が対応付けられているが、「受け付ける指示」は対応付けられていない。この場合はユーザがスタートキー１８ｃにタッチすると待機画面３１への遷移のみが行われる。
【００５３】
（６）指示の受け付け
ここでは先ず指示の受け付けの概要について説明し、その後に操作制御プログラムの処理の流れについて説明する。
【００５４】
（６−１）指示の受け付けの概要
操作画面の表示には長時間を要する場合がある。例えば表示部１３の解像度が高解像度である場合には、表示部１３に表示する画素数が多くなるためデータ処理に長時間を要し、操作画面の表示が完了するまでに長時間を要する。あるいは、表示部１３の解像度がそれほど高くなかったとしても、ＣＰＵ１０ａの処理能力や表示部１３が備える画像処理回路の処理能力が低い場合には操作画面の表示が完了するまでに長時間を要する。操作画面の表示が完了するまでに長時間を要すると、ユーザが操作画面の表示の完了を待つ待ち時間が長くなる。
【００５５】
ところで、ユーザは複合機１の操作を繰り返しているうちに、目的の指示を行うにはどの操作画面でどの操作を行えばよいかを徐々に把握できてくる。例えばトレイの実行条件として自動を設定する指示を行いたい場合、ユーザはトレイ画面４１で１番のテンキー１８ａにタッチすればよいことを把握できてくる。
【００５６】
そこで、制御部１０は、遷移先の操作画面を表示させるとき、当該遷移先の操作画面の表示が完了するのを待つことなく、当該遷移先の操作画面と操作部１２によって受け付けられた操作とに対応する指示を受け付ける。ここで、タッチパネル１３ｂによって受け付けられる操作を除外する理由は、タッチパネル１３ｂによって受け付けられる操作は操作画面の表示が完了する前に行うことは困難だからである。
【００５７】
ただし、操作部１２によって受け付けられる操作であっても、例外としていくつかの操作画面では表示が完了する前は対応する指示が受け付けられない。以下、具体的に説明する。
【００５８】
図８は、上述した例外を示す模式図である。実施形態１では、ユーザに内容を確認させる操作画面、及び、機能の実行の指示を受け付ける操作画面は、例外として表示が完了するまで対応する指示が受け付けられない。
【００５９】
図８においてユーザ確認要否は、ユーザに内容を確認させる操作画面であるか否かを示している。「○」はユーザに内容を確認させる操作画面であることを示しており、「−」はユーザに内容を確認させない操作画面であることを示している。
図示するようにエラー表示画面には「○」が設定されている。エラー表示画面を例外とした理由は、エラーの内容をユーザに確認させ、ユーザに適切なエラー解除の操作を促すためである。
【００６０】
実行指示は、機能の実行の指示を受け付ける操作画面であるか否かを示している。「○」は実行の指示を受け付ける操作画面であることを示しており、「−」は実行の指示を受け付けない操作画面であることを示している。コピー機能が選択されている場合にスタートキー１８ｃが受け付けられるのは部数画面４４のみである。このため、部数画面４４には「○」が設定されており、その他の操作画面には「−」が設定されている。
【００６１】
部数画面４４を例外とした理由は、部数画面４４がコピー実行の指示を受け付ける操作画面であることをユーザにより確実に認識させるためである。ユーザは部数画面４４がコピー実行の指示を受け付ける操作画面であることを認識すれば、それまでに設定した実行条件に誤りがないかをコピーの実行の前に確認する機会となり、誤った実行条件でコピーが実行されることを低減できる。
【００６２】
また、図６に示すように部数画面４４にはトレイ画面４１、カラー画面４２、倍率画面４３、及び、部数画面４４で設定された実行条件が表示される。このため、部数画面４４については表示が完了するまで操作を受け付けないことにより、コピーの実行を指示する前にユーザに実行条件を確認させることができる。つまり、部数画面４４はユーザに内容を確認させる操作画面であるということもできる。部数画面４４でユーザに内容を確認させるのは、例えば部数として１０部を設定したつもりが１００部と設定してしまっており、９０部が無駄にコピーされてしまうこともあり得るからである。
【００６３】
以降の説明では表示が完了するまで指示が受け付けられない操作画面、すなわちエラー表示画面、及び、部数画面４４のことを強制表示画面といい、その他の操作画面のことを通常表示画面というものとする。
【００６４】
（６−２）操作制御プログラムによる処理の流れ
図９は、操作画面を表示させて操作を受け付ける操作制御プログラム５０の全体構成を示すブロック図である。操作制御プログラム５０は、メイン制御モジュール５１、操作部制御モジュール５２、画面表示制御モジュール５３、及び、タッチパネル制御モジュール５４を備えている。
これらのモジュールはマルチタスクによって並行して実行される。また、これらのモジュールには操作部制御モジュール５２＞メイン制御モジュール５１＞画面表示制御モジュール５３の順で処理の実行の優先順位が設定されている。
【００６５】
ここで、タッチパネル制御モジュール５４はユーザがタッチパネル１３ｂにタッチした位置を示す位置情報をメイン制御モジュール５１に通知するモジュールである。以降の説明ではタッチパネル制御モジュール５４については説明を省略する。
また、実施形態１では強制表示画面以外の操作画面、すなわち通常表示画面については直ちに表示を開始せず、所定時間が経過してから表示を開始する場合を例に説明する。
【００６６】
（６−２−１）メイン制御モジュールの処理
図１０は、メイン制御モジュール５１の処理の流れを示すフローチャートである。メイン制御モジュール５１は複合機１に電源が投入されると起動される。ここで、複合機１は電源が投入されると表示部１３に待機画面３１を表示するものとする。
【００６７】
Ｓ１０１では、メイン制御モジュール５１を実行するＣＰＵ１０ａ（以下、単に「メイン制御モジュール５１」という）は、待機画面３１を通常表示するよう要求する通常表示要求を画面表示制御モジュール５３に出力する。
Ｓ１０２では、メイン制御モジュール５１は遷移先の操作画面として待機画面３１を操作部制御モジュール５２に通知する。
【００６８】
Ｓ１０３では、メイン制御モジュール５１は前述した画面遷移表に示すイベントが発生したか否かを判断し、イベントが発生した場合はＳ１０４に進み（Ｓ１０３：ＹＥＳ）、発生していない場合は所定時間待機した後に再度Ｓ１０３を実行する。
ここで、イベントが発生したか否かは具体的には次のように判断される。
コピーアイコンイベント、及び、コピー画面のタブイベントについては、現在表示中の操作画面と、タッチパネル制御モジュール５４からメイン制御モジュール５１に通知される位置情報とから発生が判断される。ただし、位置情報は操作画面の表示が完了している状態でなければ通知されない。
【００６９】
テンキーイベント、スタートキーイベント、及び、ショートカットキーイベントについては、操作部制御モジュール５２からメイン制御モジュール５１に操作部１２で受け付けられた操作を示す操作情報が通知されることによって発生が判断される。操作情報は操作画面の表示が完了する前に通知される場合もあるし、表示が完了した後に通知される場合もある。
エラー発生イベントについては前述したように制御部１０がエラーの発生を検知することによってイベントの発生が判断される。
【００７０】
Ｓ１０４では、メイン制御モジュール５１は、画面遷移表を参照して、最後に遷移先として判断された操作画面とＳ１０３で発生したイベントとに対応する遷移先の操作画面を判断する。
ここで、Ｓ１０４の実行が１回目である場合は、最後に遷移先として判断された操作画面は待機画面３１であるとする。Ｓ１０４の実行が２回目以降である場合は前回Ｓ１０４を実行したときに遷移先として判断した操作画面が、最後に遷移先として判断された操作画面であることになる。
【００７１】
例えばＳ１０４の実行が１回目であるとする。この場合は最後に遷移先として判断された操作画面は待機画面３１である。そして、待機画面３１の表示が完了した後にコピーアイコン３１ａにタッチする操作が行われたとする。この場合は待機画面３１とコピーアイコンイベントとに対応する操作画面であるトレイ画面４１が遷移先の操作画面であると判断されることになる。
トレイ画面４１が遷移先の操作画面であると判断した場合、次回Ｓ１０４を実行するときには、最後に遷移先として判断された操作画面はトレイ画面４１であることになる。
【００７２】
また、画面遷移表から明らかなように、遷移先の操作画面はない場合もある。
【００７３】
メイン制御モジュール５１は、遷移先の操作画面がある場合はＳ１０５に進み（Ｓ１０４：ＹＥＳ）、ない場合はＳ１１２に進む（Ｓ１０４：ＮＯ）。
【００７４】
Ｓ１０５では、メイン制御モジュール５１は発生したイベントがショートカットキーイベントであるか否かを判断し、ショートカットキーイベント以外のイベントである場合はＳ１０６に進み（Ｓ１０５：ＮＯ）、ショートカットキーイベントである場合はＳ１０７に進む（Ｓ１０５：ＹＥＳ）。
【００７５】
Ｓ１０６では、メイン制御モジュール５１はＳ１０４で判断した遷移先の操作画面が強制表示画面であるか否かを判断し、強制表示画面である場合はＳ１０７に進み（Ｓ１０６：ＹＥＳ）、強制表示画面ではない場合はＳ１０８に進む（Ｓ１０６：ＮＯ）。
【００７６】
Ｓ１０７では、メイン制御モジュール５１はＳ１０４で判断した遷移先の操作画面を強制表示するよう要求する強制表示要求を画面表示制御モジュール５３に出力する。
ここで、前述したようにメイン制御モジュール５１はＳ１０５でショートカットキーイベントであると判断した場合はＳ１０７に進む。つまり、ショートカットキー１８ｂが操作された場合は、そのショートカットキー１８ｂが割り当てられている一括設定情報に設定されている遷移先の操作画面が通常表示画面であっても強制表示されることになる。
【００７７】
Ｓ１０８〜Ｓ１１０はＳ１０６で強制表示画面ではないと判断された場合の処理、すなわち通常表示画面であると判断された場合の処理である。
Ｓ１０８では、メイン制御モジュール５１は経過時間を計測するための経過時間カウンタをクリアするカウンタクリア要求を画面表示制御モジュール５３に出力する。
【００７８】
Ｓ１０９では、メイン制御モジュール５１は経過時間カウンタをスタートさせるカウンタスタート要求を画面表示制御モジュール５３に出力する。
Ｓ１１０では、メイン制御モジュール５１はＳ１０４で判断した遷移先の操作画面を通常表示するよう要求する通常表示要求を画面表示制御モジュール５３に出力する。
Ｓ１１１では、メイン制御モジュール５１はＳ１０４で判断した遷移先の操作画面を操作部制御モジュール５２に通知する。
【００７９】
Ｓ１１２では、メイン制御モジュール５１は画面遷移表を参照して、Ｓ１０４を実行する直前に最後に遷移先として判断されていた操作画面とＳ１０３で発生したイベントとに対応する指示を判断する。
例えばＳ１０４の実行が１回目であったとする。その場合は、Ｓ１０４を実行する直前に最後に遷移先として判断されていた操作画面は待機画面３１であることになる。そして、Ｓ１０３で発生したイベントがショートカットキー１８ｂの操作であったとする。この場合、待機画面３１とショートカットキー１８ｂの操作とに対応する指示である一括設定情報に応じた指示が、操作画面とイベントとに対応する指示であると判断される。
また、画面遷移表から明らかなように、対応する指示はない場合もある。
メイン制御モジュール５１は、対応する指示がある場合はＳ１１３に進み（Ｓ１１２：ＹＥＳ）、対応する指示がない場合はＳ１０３に戻る（Ｓ１１２：ＮＯ）。
【００８０】
Ｓ１１３では、メイン制御モジュール５１はＳ１１２で判断した指示を受け付け、受け付けた指示を実行する。Ｓ１１３は受付処理、及び、制御処理の一例である。
【００８１】
（６−２−２）操作部制御モジュール５２の処理
図１１は、操作部制御モジュール５２の処理の流れを示すフローチャートである。操作部制御モジュール５２も複合機１に電源が投入されると起動される。
Ｓ２０１では、操作部制御モジュール５２を実行するＣＰＵ１０ａ（以下、単に「操作部制御モジュール５２」という）は、メイン制御モジュール５１から遷移先の操作画面が通知されたか否かを判断し、通知された場合はＳ２０２に進み（Ｓ２０１：ＹＥＳ）、通知されていない場合はＳ２０３に進む（Ｓ２０１：ＮＯ）。
【００８２】
Ｓ２０２では、操作部制御モジュール５２は遷移先の操作画面に応じた操作キー１８をユーザに案内する。例えば、遷移先の操作画面がトレイ画面４１であるとする。トレイ画面４１では１番から３番のテンキー１８ａの操作が受け付けられるので、操作部制御モジュール５２は１番から３番のテンキー１８ａに対応するＬＥＤを点灯させる。
【００８３】
ここで、メイン制御モジュール５１から遷移先の操作画面が通知されても、Ｓ２０２の時点でその操作画面の表示が完了しているとは限らない。なぜなら、メイン制御モジュール５１はＳ１０７やＳ１１０で画面表示制御モジュール５３に操作画面の表示を要求した後、その操作画面の表示が完了するのを待たずにＳ１１１において操作部制御モジュール５２に遷移先の操作画面を通知する。メイン制御モジュール５１は画面表示制御モジュール５３よりも優先順位が高いので、メイン制御モジュール５１による遷移先の操作画面の通知は画面表示制御モジュール５３による操作画面の表示よりも優先して実行される。
【００８４】
そして、操作部制御モジュール５２は画面表示制御モジュール５３よりも優先順位が高いので、操作部制御モジュール５２による処理は画面表示制御モジュール５３による操作画面の表示より優先して実行される。
このため、Ｓ２０２の時点で操作画面の表示が完了していないことがあり得る。Ｓ２０２の時点で操作画面の表示が完了していない場合は、操作部制御モジュール５２は操作画面の表示が完了するのを待たずにその操作画面で受け付けられる操作キー１８をユーザに案内することになる。
【００８５】
Ｓ２０３では、操作部制御モジュール５２は操作部１２による操作を受け付けたか否かを判断し、操作を受け付けた場合はＳ２０４に進み（Ｓ２０３：ＹＥＳ）、受け付けていない場合はＳ２０１に戻る（Ｓ２０３：ＮＯ）。
ここで、Ｓ２０１で通知された遷移先の操作画面は、Ｓ２０３の時点で表示が完了しているとは限らない。このため、Ｓ２０３の時点で操作画面の表示が完了していない場合には、操作部制御モジュール５２は操作画面の表示が完了するのを待たずにその操作画面で受け付けられる操作を受け付けることになる。
【００８６】
Ｓ２０４では、操作部制御モジュール５２は、受け付けた操作が、最後に遷移先として通知された操作画面で受け付けられる操作であるか否か、言い換えると、最後に遷移先として通知された操作画面で有効な操作であるか否かを判断する。
例えば最後に遷移先として通知された操作画面がトレイ画面４１であるとする。トレイ画面４１ではショートカットキー１８ｂの操作は受け付けられないので、トレイ画面４１でショートカットキー１８ｂが操作された場合は有効な操作ではないと判断されることになる。一方、トレイ画面４１では１番から３番のテンキー１８ａの操作が受け付けられるので、１番から３番のテンキー１８ａが操作された場合は有効な操作であると判断されることになる。
操作部制御モジュール５２は有効な操作である場合はＳ２０５に進み（Ｓ２０４：ＹＥＳ）、有効な操作ではない場合はＳ２０１に戻る（Ｓ２０４：ＮＯ）。
【００８７】
Ｓ２０５では、操作部制御モジュール５２は操作の受け付けが禁止されているか否かを判断する。
詳しくは後述するが、画面表示制御モジュール５３はメイン制御モジュール５１から強制表示要求が出力されると操作受付禁止フラグをオンにする。そして、画面表示制御モジュール５３は、操作画面の表示が完了すると操作受付禁止フラグをオフにする。
操作部制御モジュール５２は、操作受付禁止フラグがオンであるかオフであるかを判断し、オフである場合は操作の受け付けが禁止されていないとしてＳ２０６に進み（Ｓ２０５：ＮＯ）、オンである場合は操作の受け付けが禁止されているとしてＳ２０１に戻る（Ｓ２０５：ＹＥＳ）。
つまり、強制表示画面の場合は、操作受付禁止フラグがオンである間は有効な操作であっても操作情報がメイン制御モジュール５１に通知されない。従って操作受付禁止フラグがオンである間は指示が受け付けられないことになる。
なお、強制表示画面の場合は表示が完了するまでＳ２０２による操作キー１８の案内を行わないようにしてもよい。
【００８８】
Ｓ２０６では、操作部制御モジュール５２は受け付けた操作を示す操作情報をメイン制御モジュール５１に通知する。
ここで、前述したように操作部制御モジュール５２は操作画面の表示が完了するのを待たずに操作を受け付ける。このため、Ｓ２０６の時点で操作画面の表示が完了していない場合には、操作部制御モジュール５２は操作画面の表示が完了するのを待たずにメイン制御モジュール５１に操作情報を通知することになる。そして、メイン制御モジュール５１は画面表示制御モジュール５３よりも優先順位が高いので、操作部制御モジュール５２から操作情報が通知されると、画面表示制御モジュール５３による操作画面の表示に優先して、Ｓ１１３において対応する指示を受け付けることになる。
【００８９】
（６−２−３）画面表示制御モジュール５３の処理
図１２は、画面表示制御モジュール５３の処理の流れを示すフローチャートである。画面表示制御モジュール５３も複合機１に電源が投入されると起動される。
Ｓ３０１では、画面表示制御モジュール５３を実行するＣＰＵ１０ａ（以下、単に「画面表示制御モジュール５３」という）は、メイン制御モジュール５１から要求が出力されたか否かを判断し、要求が出力された場合はＳ３０２に進む（Ｓ３０１：ＹＥＳ）。
【００９０】
Ｓ３０２では、画面表示制御モジュール５３はメイン制御モジュール５１からの要求がカウンタクリア要求であるか否かを判断し、カウンタクリア要求である場合はＳ３０３に進み（Ｓ３０２：ＹＥＳ）、それ以外の要求である場合はＳ３０５に進む（Ｓ３０２：ＮＯ）。
Ｓ３０３では、画面表示制御モジュール５３は経過時間カウンタをストップさせる。
Ｓ３０４では、画面表示制御モジュール５３は経過時間カウンタをクリアする。経過時間カウンタをクリアすると経過時間カウンタの値は０にリセットされる。
【００９１】
Ｓ３０５では、画面表示制御モジュール５３はメイン制御モジュール５１からの要求が強制表示要求であるか否かを判断し、強制表示要求である場合はＳ３０６に進み（Ｓ３０５：ＹＥＳ）、それ以外の要求である場合はＳ３０９に進む（Ｓ３０５：ＮＯ）。
【００９２】
Ｓ３０６では、画面表示制御モジュール５３は操作の受付を禁止する。具体的には、画面表示制御モジュール５３は操作受付禁止フラグをオンにする。
Ｓ３０７では、画面表示制御モジュール５３は強制表示要求によって表示が要求された操作画面を表示装置１３ａに表示する。画面表示制御モジュール５３はその表示が完了した後にＳ３０８に進む。
Ｓ３０８では、画面表示制御モジュール５３は操作の受付を許可する。具体的には、画面表示制御モジュール５３は操作受付禁止フラグをオフにする。
【００９３】
Ｓ３０９では、画面表示制御モジュール５３はメイン制御モジュール５１からの要求が通常表示要求であるか否かを判断し、通常表示要求である場合はＳ３１０に進み（Ｓ３０９：ＹＥＳ）、それ以外の要求である場合はＳ３１２に進む（Ｓ３０９：ＮＯ）。
Ｓ３１０では、画面表示制御モジュール５３は経過時間カウンタが所定時間以上であるか否かを判断し、所定時間以上である場合はＳ３１１に進む。所定時間は適宜に設定可能である。
【００９４】
Ｓ３１１では、画面表示制御モジュール５３は通常表示要求によって表示が要求された操作画面を表示装置１３ａに表示する。
【００９５】
ここで、画面表示制御モジュール５３は、通常表示要求によって表示が要求された操作画面の表示中に新たにメイン制御モジュール５１から通常表示要求が出力された場合は、表示中の操作画面の表示を中止し、新たな通常表示要求によって指定されている操作画面を表示するものとする。
【００９６】
Ｓ３１２では、画面表示制御モジュール５３はメイン制御モジュール５１からの要求がカウンタスタート要求であるか否かを判断し、カウンタスタート要求である場合はＳ３１３に進み（Ｓ３１２：ＹＥＳ）、それ以外の要求である場合はＳ３０１に戻る（Ｓ３１２：ＮＯ）。
【００９７】
Ｓ３１３では、画面表示制御モジュール５３は経過時間カウンタをスタートさせる。
Ｓ３１４では、画面表示制御モジュール５３は画面表示を開始するまで所定時間待機中であることをユーザに案内するメッセージ画面を表示装置１３ａに表示する。
【００９８】
上述したＳ３０７及びＳ３１１は表示処理の一例である。
【００９９】
（７）実施形態の効果
以上説明した実施形態１に係る複合機１によると、画面表示制御モジュール５３による操作画面の表示が完了するのを待たずにその操作画面と操作部１２で受け付けられた操作とに対応する指示を受け付ける。例えば待機画面３１の表示が完了する前にショートカットキー１８ｂが操作されたとすると、複合機１は待機画面３１の表示が完了する前に、一括設定情報に応じた指示を受け付ける。あるいは、トレイ画面４１の表示が完了する前にテンキー１８ａが操作されたとすると、複合機１はトレイ画面４１の表示が完了する前に、テンキー１８ａに応じたトレイ設定を受け付ける。このためユーザは操作画面の表示が完了するのを待たなくてよい。
よって複合機１によると、操作画面の表示が完了するまで待たされるユーザの煩わしさを低減できる。
【０１００】
更に、複合機１によると、操作画面が部数画面４４である場合は表示が完了する前については操作部１２で操作が受け付けられても指示を受け付けないので、コピー実行の指示が受け付けられる操作画面であることをユーザにより確実に認識させることができる。
【０１０１】
更に、複合機１によると、トレイ画面４１、カラー画面４２、倍率画面４３、及び、部数画面４４で設定された実行条件を部数画面４４に表示するので、設定画面で設定された実行条件を、コピー実行の指示を受け付ける前にユーザに確認させることができる。
【０１０２】
更に、複合機１によると、操作画面がエラー表示画面である場合はエラー表示画面の表示が完了する前については操作部１２で操作が受け付けられても指示を受け付けないので、エラーの内容をより確実にユーザに確認させることができる。
【０１０３】
更に、複合機１によると、ショートカットキー１８ｂの操作が受け付けられた場合は、部数画面４４の表示が完了する前についてはスタートキー１８ｃが操作されてもコピー実行の指示を受け付けない。複数の実行条件が一括して設定された場合、実行条件が一括して設定された時点で、ユーザはどの操作画面に対して操作を行っているか分からなくなることがある。このため、設定画面の表示が完了する前には操作を受け付けないことにより、どの操作画面に対して操作を行っているかユーザに確認させることができる。
【０１０４】
更に、複合機１によると、操作部１２によって通常表示画面を表示する操作が受け付けられたときからの経過時間を計測し、経過時間が所定時間に達する前は通常表示画面の表示を開始せず、経過時間が所定時間に達すると通常表示画面の表示を開始する。
通常表示画面の表示が完了する前に指示を受け付けた場合は、当該通常表示画面の表示は不要となる。複合機１によると、通常表示画面を表示する操作が受け付けられたときからの経過時間が所定時間に達する前は通常表示画面の表示を開始しないので、不必要に通常表示画面を表示することを低減できる。一方、経過時間が所定時間に達する前に指示が受け付けられなかった場合は、ユーザは受け付けられる操作を把握していないと考えられる。その場合は通常表示画面を表示することにより、ユーザが目的の指示を行うことができる。
【０１０５】
更に、複合機１によると、操作画面で指示が受け付けられる操作キー１８を発光素子によって点灯させることによってユーザに案内するので、ユーザの利便性が向上する。
【０１０６】
＜他の実施形態＞
上記記述及び図面によって説明した実施形態に限定されるものではなく、例えば次のような実施形態も技術的範囲に含まれる。
【０１０７】
（１）上記実施形態では画像処理装置として複合機１を例に説明したが、画像処理装置はコピー機能、ＦＡＸ送受信機能、あるいはスキャン機能のいずれか一の機能を備える単機能の画像処理装置であってもよい。
【０１０８】
（２）上記実施形態１では画像処理としてコピー、ＦＡＸ送受信、及び、スキャンを例に説明したが、画像処理はダイレクトプリントであってもよい。ダイレクトプリントとは、複合機１に装着されたＵＳＢメモリなどのリムーバブルメモリに記憶されている画像データの中から印刷する画像データをユーザに選択させ、ユーザが選択した画像データが表す画像を印刷する処理である。
【０１０９】
（３）上記実施形態１では操作受付禁止フラグがオンである間は操作部１２で操作を受け付けてもその操作情報をメイン制御モジュール５１に通知しないことによって指示を受け付けないようにしているが、操作受付禁止フラグがオンである間は操作部１２への通電をオフにすることによって操作自体を受け付けないようにしてもよい。
【０１１０】
（４）上記実施形態では制御部１０がＣＰＵ１０ａを備えている場合を例に説明したが、制御部１０は１以上のＣＰＵによって構成されてもよいし、ＡＳＩＣによって構成されてもよいし、１以上のＣＰＵと１以上のＡＳＩＣとによって構成されてもよい。
【０１１１】
（５）上記実施形態では選択された機能がコピー機能である場合に、ユーザに内容を確認させる操作画面としてエラー表示画面を例に説明した。これに対し、選択された機能がＦＡＸ機能である場合は、ＦＡＸの送信先番号を設定する画面を、ユーザに内容を確認させる操作画面としてもよい。これにより、送信相手が誰であるか確実にユーザに確認させることができる。
【符号の説明】
【０１１２】
１・・・複合機、２・・・ＦＡＸ装置、３・・・ＰＣ、１０・・・制御部、１１・・・記憶部、１２・・・操作部、１３・・・表示部、１３ａ・・・表示装置、１３ｂ・・・タッチパネル、１４・・・操作キー、１４・・・画像読取部、１５・・・ＦＡＸ部、１６・・・印刷部、１７・・・通信インタフェース部、１８・・・操作キー、１８ａ・・・テンキー、１８ｃ・・・コピースタートキー、１８ｂ・・・ショートカットキー、３１ａ・・・コピーアイコン、３１・・・待機画面、４０・・・コピー画面、４１・・・トレイ画面、４２・・・カラー画面、４３・・・倍率画面、４４・・・部数画面、５０・・・操作制御プログラム、５１・・・メイン制御モジュール、５２・・・操作部制御モジュール、５３・・・画面表示制御モジュール、５４・・・タッチパネル制御モジュール
【図１】
2013179530.tif 000003
【図２】
2013179530.tif 000004
【図３】
2013179530.tif 000005
【図４】
2013179530.tif 000006
【図５】
2013179530.tif 000007
【図６】
2013179530.tif 000008
【図７】
2013179530.tif 000009
【図８】
2013179530.tif 000010
【図９】
2013179530.tif 000011
【図１０】
2013179530.tif 000012
【図１１】
2013179530.tif 000013
【図１２】
2013179530.tif 000014